(57)【特許請求の範囲】
【請求項１】
先端側でマイクユニットを支持し、後端側にコネクタ収納部を有する円筒状のマイクグリップを含み、前記コネクタ収納部内のコネクタにマイクケーブル側の接続プラグを着脱自在に連結するマイクロホンの接続プラグ固定構造において、
前記コネクタ収納部の外周部に設けられ、マイクグリップの軸線方向に移動可能なスライダと、
前記スライダの内周面に形成された傾斜面部と、
前記コネクタ収納部に設けられた貫通孔に挿入され、傾斜面部に第１の部分が接することにより、第２の部分がコネクタ収納部の内部に突出する押圧子と、
前記コネクタ収納部に設けられた、接続プラグのラッチ爪が係止される係止孔と、
前記スライダの後端部に弾性変形可能に形成された、スライダの径方向内方に突出する鍔部と、を備え、
前記接続プラグのラッチ爪を前記係止孔に係止し、かつ前記コネクタ収納部の内部に突出した押圧子の第２の部分によって接続プラグの外周面を押圧し、保持すると共に、前記鍔部が変形した状態で前記接続プラグの先端部が当接していることを特徴とするマイクロホンの接続プラグ固定構造。
【請求項２】
先端側でマイクユニットを支持し、後端側にコネクタ収納部を有する円筒状のマイクグリップを含み、前記コネクタ収納部内のコネクタにマイクケーブル側の接続プラグを着脱自在に連結するマイクロホンの接続プラグ固定構造において、
前記コネクタ収納部の外周部に設けられ、マイクグリップの軸線方向に移動可能なスライダと、
前記スライダの内周面に形成された傾斜面部と、
前記コネクタ収納部に設けられた貫通孔に挿入され、傾斜面部に第１の部分が接することにより、第２の部分がコネクタ収納部の内部に突出する押圧子と、
前記コネクタ収納部に設けられた、接続プラグのラッチ爪が係止される係止孔と、
前記スライダの内周面に設けられたネジ部と、
前記スライダのネジ部と螺合する、前記マイクグリップの外周面に形成されたネジ部と、を備え、
前記接続プラグのラッチ爪を前記係止孔に係止し、かつ前記スライダのネジ部とマイクグリップのネジ部と螺合によって、スライダがマイクグリップの軸線方向に移動し、前記コネクタ収納部の内部に突出した押圧子の第２の部分によって接続プラグの外周面を押圧し、保持することを特徴とするマイクロホンの接続プラグ固定構造。
【請求項３】
前記押圧子は、前記スライダの傾斜面部と接する半球面状の頭部と、先端部が接続プラグの外周面と接し、接続プラグを押圧する脚部とを備え、
前記貫通孔の径は前記脚部の径よりも大きく、かつ頭部の径よりも小さな寸法に形成されていることを特徴とする請求項１または請求項２に記載のマイクロホンの接続プラグ固定構造。
【請求項４】
前記コネクタ収納部と前記押圧子の半球状の頭部下面との間に弾性体が配置され、前記押圧子を前記スライダの傾斜面部側に付勢することを特徴とする請求項３に記載のマイクロホンの接続プラグ固定構造。
【発明の詳細な説明】
【技術分野】
【０００１】
本発明はマイクロホンの接続プラグ固定構造に関し、特にマイクケーブルの接続プラグをマイクロホンに固定するマイクロホンの接続プラグ固定構造に関する。
【背景技術】
【０００２】
例えば、ステージなどで使用されるマイクロホンには、設置・撤収の容易性を考慮して、マイクロホンとマイクケーブルとがコネクタを介して着脱可能に構成されたものが採用されている。その一例を図８乃至図１０により説明する。尚、図８はマイクロホンと接続プラグを示す図であって、マイクロホンは断面図で示されている。また図９は図８における要部拡大図であって、接続プラグの固定状態を示す図である。更に、図１０は接続プラグの固定状態の課題を説明するための図である。
【０００３】
このマイクロホン５０は、円筒状に形成されたマイクグリップ５１と、このマイクグリップ５１の先端側に支持されたマイクユニット５２と、マイクユニット５２を保護するため、マイクグリップ５１の先端側には、例えば金網体からなるガードメッシュ５３とを備えている。
また、前記マイクグリップ５１の後端側には、マイクケーブル６０に設けられた接続プラグ６１が差し込まれるコネクタ収納部５４が一体に連設されている。このコネクタ収納部５４の内部には、コネクタ５５が収納されている。多くの場合、コネクタ５５にはＥＩＡＪ  ＲＣ−５２３６「音響機器用ラッチロック式丸型コネクタ」に規定されている３ピンタイプのコネクタ５５が用いられている。
尚、落下衝撃からコネクタ収納部５４を保護するため、マイクグリップ５１の後端側（コネクタ収納部５４）の周りにゴム弾性体からなる保護スリーブ５７が設けられている。
【０００４】
また、マイクケーブル６０に設けられた接続プラグ６１には、押しノブ６２によって出没操作されるラッチ爪６３が設けられ、一方、マイクロホン５０のコネクタ収納部５４側には、その相手方としての係止孔５６が穿設されている。尚、前記ラッチ爪６３は図示しないバネ手段により常態において突出するように構成されている。
したがって、マイクロホン５０のコネクタ収納部５４内に、前記接続プラグ６１を差し込むことによって、図９に示すように、ラッチ爪６３が係止孔５６内に入り込み、マイクロホン５０に接続プラグ６１が係止され、取り付けられる。
【０００５】
一方、押しノブ６２を押すことによってラッチ爪６３を後退させ、ラッチ爪６３と係止孔５６との係止状態を解除し、接続プラグ６１をコネクタ収納部５４から引き抜くことにより、接続プラグ６１はマイクロホン５０から取り外される。
このように、マイクロホンの使用時あるいは不使用時には、コネクタ収納部５４内にマイクケーブル６０の接続プラグ６１を差し込む、あるいは引き抜くことによって、マイクロホンとマイクケーブルとの着脱がなされる。
【０００６】
ところで、前記コネクタ収納部５４の内周面と接続プラグ６１の外周面との間には、前記接続プラグの差し込み、引き抜きを容易ならしめるために、所定の隙間が形成されている。
そのため、ラッチ爪６３が係止孔５６に係止され、接続プラグ６１がマイクロホンに固定された状態においても、図１０の点線で示すように、接続プラグ６１にガタつきが生じる。
この接続プラグ６１のガタつきによって、マイクロホン側のコネクタ５５と接続プラグ６１のコネクタとの接触部分が変化し、雑音を発生する。とりわけ、手持ちの場合には、マイクロホン側のコネクタと接続プラグ６１のコネクタとの接触部分に外力が作用するため、雑音が生じ易い。
【０００７】
かかる問題を解決するために、本出願人は、特許文献１において、コネクタ収納部に接続プラグを確実に固定できるマイクロホンの接続プラグ固定構造を提案している。
この提案したマイクロホンの接続プラグ固定構造を図１１に基づいて、説明する。尚、図８乃至図１０に示された部材と同一、あるいは相当する部材は同一の符号を付する。
【０００８】
図１１に示すように、特許文献１に示されたコネクタ収納部５４には、接続プラグの抜け止め用の押しビス５９が螺合される雌ねじ孔５８が形成されている。また保護スリーブ５７には、雌ねじ孔５８と同軸的に位置合わせされ押しビス５９をゴム弾性によって脱落不能に保持するビス保持孔５７ａが穿設されている。
【０００９】
そして，マイクロホンの使用時には、接続プラグ６１を差し込むことによって、ラッチ爪６３が係止孔５６内に入り込み、マイクロホン５０に接続プラグ６１が係止され、取り付けられる。
続いて、押しビス５９を回し、雌ねじ孔５８から前記押しビス５９の先端部を突出させ、接続プラグ６１の外周面に強く押し付ける。
これにより、接続プラグ６１はコネクタ収納部５４の内周面と押しビス５９に強固に保持されるため、接続プラグ６１はガタつくことなく、マイクロホンに確実に固定される。
【００１０】
一方、接続プラグ６１を取り外す際には、前記押しビス５９を逆に回し、雌ねじ孔５８内に押しビス５９の先端部を引き込み、押しビス５９と接続プラグ６０の外周面との係合を解く。
続いて、押しノブ６２を押すことによってラッチ爪６３を後退させ、ラッチ爪６３と係止孔５６との係止状態を解除し、接続プラグ６１をコネクタ収納部５４から引き抜くことにより、接続プラグ６１はマイクロホン５０から取り外される。
【先行技術文献】
【特許文献】
【００１１】
【特許文献１】特開２００６−６０３７１号公報
【発明の概要】
【発明が解決しようとする課題】
【００１２】
上記したように、本出願人によって提案されたマイクロホンの接続プラグ固定構造によれば、接続プラグをマイクロホンに対して確実に固定することができ、ガタつきによって生じる雑音を防止することができる。
しかしながら、押しビスにより接続プラグをマイクロホンに固定するため、接続プラグの差し込み動作のほか、押しビスのねじ込み動作が必要になり、容易に接続することができないという課題があった。
また、接続プラグの取り外し際にも同様に、押しビスの取り外し動作が必要になり、容易に接続を解除することができないという課題があった。
【００１３】
本発明は、前記した点に着目してなされたものであり、マイクロホンとマイクケーブルとが容易に着脱でき、しかも、接続プラグをコネクタ収納部にガタつくことなく、確実に固定できるマイクロホンの接続プラグ固定構造を提供することを目的とする。
【課題を解決するための手段】
【００１４】
前記した課題を解決するために、本発明に係るマイクロホンの接続プラグ固定構造は、先端側でマイクユニットを支持し、後端側にコネクタ収納部を有する円筒状のマイクグリップを含み、前記コネクタ収納部内のコネクタにマイクケーブル側の接続プラグを着脱自在に連結するマイクロホンの接続プラグ固定構造において、前記コネクタ収納部の外周部に設けられ、マイクグリップの軸線方向に移動可能なスライダと、前記スライダの内周面に形成された傾斜面部と、前記コネクタ収納部に設けられた貫通孔に挿入され、傾斜面部に第１の部分が接することにより、第２の部分がコネクタ収納部の内部に突出する押圧子と、前記コネクタ収納部に設けられた、接続プラグのラッチ爪が係止される係止孔と、前記スライダの後端部に弾性変形可能に形成された、スライダの径方向内方に突出する鍔部と、を備え、前記接続プラグのラッチ爪を前記係止孔に係止し、かつ前記コネクタ収納部の内部に突出した押圧子の第２の部分によって接続プラグの外周面を押圧し、保持すると共に、前記鍔部が変形した状態で前記接続プラグの先端部が当接していることを特徴としている。
【００１５】
このように、スライダの移動に伴い、押圧子の第１の部分がスライダの内周面に形成された傾斜面部に接し、押圧子の第２の部分がコネクタ収納部の内部に突出することによって、押圧子の第２の部分が、接続プラグの外周面を押圧し、保持する。その結果、接続プラグは押圧子によって押圧し、保持されるため、接続プラグはガタつくことなく、マイクロホンに確実に固定される。しかも、スライダをマイクグリップの軸線方向に移動させるという簡単な操作により、接続プラグを固定することができる。
【００１６】
特に、前記コネクタ収納部には、接続プラグのラッチ爪が係止される係止孔が設けられ、前記スライダの後端部には、スライダの径方向内方に突出する鍔部が弾性変形可能に形成されると共に、前記鍔部が変形した状態で前記接続プラグの先端部が当接している。
このように、スライダの鍔部は、接続プラグの押圧によって弾性変形するため、前記鍔部は、接続プラグに対して、前記接続プラグを後方に移動させる方向に力を作用させる。その結果、ラッチ爪はコネクタ収納部側の係止孔に確実に係止され、接続プラグはガタつくことなく、マイクロホンに確実に固定される。
【００１７】
また、前記した課題を解決するために、本発明に係るマイクロホンの接続プラグ固定構造は、先端側でマイクユニットを支持し、後端側にコネクタ収納部を有する円筒状のマイクグリップを含み、前記コネクタ収納部内のコネクタにマイクケーブル側の接続プラグを着脱自在に連結するマイクロホンの接続プラグ固定構造において、前記コネクタ収納部の外周部に設けられ、マイクグリップの軸線方向に移動可能なスライダと、前記スライダの内周面に形成された傾斜面部と、前記コネクタ収納部に設けられた貫通孔に挿入され、傾斜面部に第１の部分が接することにより、第２の部分がコネクタ収納部の内部に突出する押圧子と、前記コネクタ収納部に設けられた、接続プラグのラッチ爪が係止される係止孔と、前記スライダの内周面に設けられたネジ部と、前記スライダのネジ部と螺合する、前記マイクグリップの外周面に形成されたネジ部と、を備え、前記接続プラグのラッチ爪を前記係止孔に係止し、かつ前記スライダのネジ部とマイクグリップのネジ部と螺合によって、スライダがマイクグリップの軸線方向に移動し、前記コネクタ収納部の内部に突出した押圧子の第２の部分によって接続プラグの外周面を押圧し、保持することを特徴としている。
このように、スライダのネジ部とマイクグリップのネジ部と螺合によって、スライダがマイクグリップの軸線方向に移動するため、スライダの内周面に形成された傾斜面部によって、押圧子がコネクタ収納部の内部に突出し、接続プラグの外周面を押圧し、保持する。
その結果、接続プラグは押圧子によって押圧し、保持されるため、接続プラグはガタつくことなく、マイクロホンに確実に固定される。しかも、スライダをマイクグリップの軸線方向に移動させるという簡単な操作により、接続プラグを固定することができる。
【００１８】
また、前記押圧子は、前記スライダの傾斜面部と接する半球面状の頭部と、先端部が接続プラグの外周面と接し、接続プラグを押圧する脚部とを備え、前記貫通孔の径は前記脚部の径よりも大きく、かつ頭部の径よりも小さな寸法に形成されていることが望ましい。
このように構成されているため、前記頭部がコネクタ収納部に係止され、押圧子の脱落の防止が図られる。
【００１９】
更に、前記コネクタ収納部と前記押圧子の半球状の頭部下面との間に弾性体が配置され、前記押圧子を前記スライダの傾斜面部側に付勢することが望ましい。
【発明の効果】
【００２０】
本発明によれば、マイクロホンとマイクケーブルとが容易に着脱でき、しかも、接続プラグをコネクタ収納部にガタつくことなく、確実に固定できるマイクロホンの接続プラグ固定構造を得ることができる。
【図面の簡単な説明】
【００２１】
【図１】図１は、本発明に係るマイクロホンのコネクタ構造を示す断面図である。
【図２】図２は、図１に示されたマイクロホンのコネクタ構造のＡ−Ａ断面図である。
【図３】図３は、図１に示されたマイクロホンとケーブルに設けられた接続プラグとの接続動作を説明するための図である。
【図４】図４は、図１に示されたマイクロホンとケーブルに設けられた接続プラグとの接続状態を説明するための図である。
【図５】図５は、本発明に係るマイクロホンのコネクタ構造の他の実施形態を示す図であって、マイクロホンとケーブルに設けられた接続プラグとの接続動作を説明するための図である。
【図６】図６は、図５に示されたマイクロホンとケーブルに設けられた接続プラグとの接続状態を説明するための図である。
【図７】図７は、本発明に係る実施形態の変形例を示す断面図である。
【図８】図８は、従来のマイクロホンとマイクケーブルのコネクタ構造を示す概略図であって、マイクロホン部分は断面で示した図である。
【図９】図９は、図８に示した従来のマイクロホンと接続プラグとの接続状態を説明するための一部断面図である。
【図１０】図１０は、図８に示した従来のマイクロホンの接続プラグ固定構造の課題を説明するための一部断面図である。
【図１１】図１１は、他の従来のマイクロホンの接続プラグ固定構造を示す断面図である。
【発明を実施するための形態】
【００２２】
以下、本発明にかかるマイクロホンの接続プラグ固定構造の一実施形態について、図１乃至図４に基づいて説明する。
マイクロホン１は、従来のマイクロホンと同様に、円筒状に形成されたマイクグリップ２と、マイクグリップ２の先端側に支持されたマイクユニットと、前記マイクユニットを保護するため、マイクグリップ２の先端側には例えば金網体からなるガードメッシュとを備えている。
また、前記マイクグリップ２の後端側には、マイクケーブル６０の接続プラグ６１が差し込まれるコネクタ収納部３が一体に連設されている。このコネクタ収納部３の内部には、コネクタ４が収納されている。コネクタ４には、従来と同様に、ＥＩＡＪ  ＲＣ−５２３６「音響機器用ラッチロック式丸型コネクタ」に規定されている３ピンタイプのコネクタ４（４ａ，４ｂ，４ｃ）が用いられている。
【００２３】
また、前記コネクタ収納部３の外周部には、コネクタ収納部３の軸線方向に摺動可能な円筒状のスライダ５が設けられている。
このスライダ５はプラスチック等の材質で形成され、その先端側内周面には、マイクグリップ２の外周面２ａと接する第１の内周面部５ａが形成されている。また前記第１の内周面部５ａよりも後端側には、コネクタ収納部３を形成するマイクグリップ２の外周面２ａと接する第２の内周面部５ｂが形成されている。
【００２４】
前記第２の内周面部５ｂの内径は、前記第１の内周面５ａの内径よりも小さな寸法に形成されると共に、前記第１の内周面５ａと第２の内周面５ｂとの間には、マイクグリップ２の後端側に行くにつれて内径が徐々に小さくなる傾斜面部５ｃが形成されている。
【００２５】
また、前記第１の内周面５ａには，マイクグリップ５１の軸線に沿って形成された溝部５ｄが形成されている。この溝部５ｄは、第１の内周面５ａに等しい間隔で、例えば、９０度間隔で４個設けられている。この溝部５ｄの数は、特に４個に限定されるものではなく、複数個であれば良い。
この溝部５ｄの内部には、マイクグリップ２の外周面２ａに形成された突起２ｂが挿入されている。この突起２ｂは、図１の矢印に示すようにスライダ５をマイクグリップ２の軸線に沿って摺動させた際、スライダ５がマイクグリップ２から脱落するのを防止する機能を有している。
【００２６】
更に、このスライダ５の後端部には、スライダ５の径方向内方に突出して、全周にわたって鍔部５ｅが形成されている。
この鍔部５ｅに、マイクケーブル６０側の接続プラグ６１の先端部を当接させ、接続プラグ６１をコネクタ収納部３に差し込むことにより、スライダ５がマイクグリップ２の先端部方向に移動するように構成されている。
【００２７】
また、前記鍔部５ｅは弾性変形可能に形成され、接続プラグ６１がマイクロホン１に接続され、固定された状態にあっては、接続プラグ６１に対して、接続プラグ６１を後方に移動させる方向に力を作用させる。その結果、ラッチ爪６３はコネクタ収納部３側の係止孔５６にガタつくことなく、確実に係止される。
尚、前記鍔部５ｅはスライダ５の後端部の内周の全周にわたって形成する必要はなく、例えば、鍔部５ｅを矩形状片となし、複数個の前記鍔部５ｅをスライダ５後端部の内周に径方向内方に突出して形成しても良い。
【００２８】
また、コネクタ収納部３には、プラスチック等の材質で形成された押圧子６が設けられている。この押圧子６はコネクタ収納部３に収容された接続プラグ６１の外周面を押圧し、接続プラグ６１のガタつきを防止するものである。
具体的には、この押圧子６は、前記スライダ５の傾斜面部５ｃと接する半球面状の頭部６ａと、先端部が接続プラグ６１と接し、接続プラグ６１の外周面を押圧する円柱状の脚部６ｂとを備え、全体として、いわゆるきのこ型形状に形成されている。
【００２９】
また、前記押圧子６の脚部６ｂは、コネクタ収納部３に設けられた貫通孔２ｃに挿入されると共に、前記頭部６ａがコネクタ収納部３に設けられた段部２ｄに係止されるように構成され、押圧子６の脱落の防止が図られている。
【００３０】
また、マイクケーブル６０側の接続プラグ６１には、従来の接続プラグと同様に形成されており、押しノブ６２によって出没操作されるラッチ爪６３が設けられ、コネクタ収納部３側にはその相手方としての係止孔５６が穿設されている。また、前記ラッチ爪６３は図示しないバネ手段により常態において突出している。
【００３１】
次に、図３及び図４に基づいて、マイクロホンとマイクケーブルに設けられた接続プラグ６１との接続について説明する。
図３に示す状態から、接続プラグ６１をコネクタ収納部３内に差し込と、スライダ５の鍔部５ｅが接続プラグ６１の段部６１ａに当接し、スライダ５をマイクロホン（マイクグリップ２）の軸線に沿って、その先端側（図３の矢印方向）に移動させる。
【００３２】
前記スライダ５の傾斜面部５ｃが押圧子６の頭部６ａと接しているため、このスライダ５の移動に伴い、押圧子６の脚部６ｂの先端部はコネクタ収納部３の内部に徐々に突出し、接続プラグ６１の外周面に強く押し付けられる。
そして、最終的に、ラッチ爪６３が係止孔５６内に入り込み、接続プラグ６１が係止され、図４に示すように、接続プラグ６１はマイクロホン１に接続され、固定される。
【００３３】
このように、スライダ５の移動により、図４に示すように、押圧子６の脚部６ｂは傾斜面部５ｃによりコネクタ収納部３内方に突出し、接続プラグ６１の外周面を押圧し、保持する。
その結果、コネクタ収納部３の内周面と接続プラグ６１の外周面との間に隙間があっても、接続プラグ６１は押圧子６によって押圧し、保持されるため、接続プラグ６１の径方向のガタつきが抑制され、マイクロホンに確実に固定される。
【００３４】
また、スライダ５の鍔部５ｅが接続プラグ６１の押圧によって弾性変形するため、前記鍔部５ｅは、接続プラグ６１に対して、前記接続プラグを後方に移動させる方向に力を作用させる。その結果、ラッチ爪６３はコネクタ収納部３側の係止孔５６に確実に係止され、接続プラグ６１の軸線方向のガタつきが抑制され、マイクロホンに確実に固定される。
【００３５】
一方、押しノブ６２を押してラッチ爪６３を後退させ、係止孔５６との係止状態を解除し、接続プラグ６１とスライダ５と一体的に、図４に示す矢印方向（マイクロホン１の後方に引くことにより、傾斜面部５ｃによる押圧子６の押圧が解除され、押圧子６による接続プラグ６１の外周面の押圧、保持が解除される。そして、更に、接続プラグ６１を引くことにより、接続プラグ６１をコネクタ収納部３から取り外すことができる。
【００３６】
このように、接続プラグ６１の外周面が押圧子６によって、押圧、保持されるため、接続プラグ６１をコネクタ収納部３に対してガタつくことなく、確実に固定することができる。また、前記鍔部５ｅの弾性変形によってラッチ爪６３はコネクタ収納部３側の係止孔５６に確実に係止され、接続プラグ６１をコネクタ収納部３に対してガタつくことなく、確実に固定することができる。
その結果、マイクロホン側のコネクタとケーブルコネクタの接触部分が変化することによって生じる雑音を抑制することができる。
しかも、従来のように、押しビスにより接続プラグを固定しないため、押しビスのねじ込み動作を行う必要がなく、また、接続プラグの取り外しにおいても、ねじ外し動作を行う必要がなく、マイクロホンに対して、マイクケーブルを容易に着脱することができる。
【００３７】
尚、上記実施形態にあっては、溝部５ｄの内部に、いわゆる抜け止めの突起２ｂを配置した例を示したが、この突起２ｂは、スライダ５をマイクグリップ２の軸線に沿って摺動させる際のガイドする機能を有していても良い。
【００３８】
次に、本発明にかかる他の実施形態につき、図５、図６に基づいて説明する。
この実施形態にあっては、第一の実施形態におけるスライダ５の鍔部５ｅ、溝部５ｄ及びマイクグリップ２の突起２ｂを省略し、新たにスライダ５の内周面にネジ部５ｆを形成すると共に、マイクグリップ２外周面に前記ネジ部５ｆとの螺合するネジ部２ｆを形成した点に特徴がある。
具体的には、図５に示すように、スライダ５の先端部の第１の内周面５ａにネジ部５ｆを形成すると共に、マイクグリップ２外周面には、前記ネジ部５ｆとの螺合するネジ部２ｆが形成されている。
したがって、前記スライダ５のネジ部５ｆをマイクグリップ２のネジ部２ｆに螺合させ、前記スライダ５を回転させることにより、図５の矢印に示すように、スライダ５をマイクグリップ２の軸線方向に移動させることができる。
【００３９】
この実施形態にあっては、接続プラグ６１をコネクタ収納部３内に差し込むと、ラッチ爪６３が係止孔５６内に入り込み、接続プラグ６１が係止される。
その後、スライダ５を回転させることにより、スライダ５をマイクグリップ２の軸線に沿って、マイクグリップ２の先端側方向に移動させる。
このスライダ５の移動により、図６に示すように、押圧子６の脚部６ｂは傾斜面部５ｃによりコネクタ収納部３内方に突出し、接続プラグ６１の外周面を押圧し、保持する。
【００４０】
一方、接続プラグ６１を取り外す際には、スライダ５を回転させることにより、スライダ５をマイクグリップ２の軸線に沿って、図６の矢印に示すように、マイクグリップ２の後端側方向に移動させる。
このスライダ５の移動によって、傾斜面部５ｃによる押圧子６の押圧が解かれ、押圧子６による接続プラグ６１の外周面の押圧、保持が解除される。その後、押しノブ６２を押してラッチ爪６３を後退させ、係止孔５６との係止状態を解除し、接続プラグ６１を引くことにより、マイクロホン１と接続プラグ６１の接続を解除することができる。
【００４１】
この実施形態においても、接続プラグ６１の外周面が押圧子６により、押圧、保持されるため、接続プラグ６１はコネクタ収納部３にガタつきなく、確実に接続、固定することができる。
その結果、マイクロホン側のコネクタとケーブルコネクタの接触部分が変化することによって生じる雑音を抑制することができる。しかも、スライダ５を回転させるという簡単な操作でマイクロホン１に対して、マイクケーブルを容易に着脱することができる。
【００４２】
尚、上記実施形態において、図７に示すように、前記コネクタ収納部３と前記押圧子６の半球状の頭部６ａの下面との間に弾性体７、例えば、コイルばね、皿ばね等を配置し、前記押圧子６を前記スライダの傾斜面部５ｃ側に付勢することが望ましい。このように、前記押圧子６を前記スライダ５の傾斜面部５ｃ側に付勢することにより、傾斜面部５ｃによる押圧子６の押圧が解除された際、押圧子６による接続プラグ６１の外周面の押圧、保持を直ちに解除することができる。
【符号の説明】
【００４３】
１        マイクロホン
２        マイクグリップ
２ａ      外周面部
２ｂ      突起
２ｃ      貫通孔
２ｄ      段部
２ｆ      ネジ部
３        コネクタ収納部
４        コネクタ
５        スライダ
５ａ      第１の内周面部
５ｂ      第２の内周面部
５ｃ      傾斜面部
５ｄ      溝部
５ｅ      鍔部
５ｆ      ネジ部
６        押圧子
６ａ      頭部
６ｂ      脚部
６１      接続プラグ
６２      押しノブ
６３      ラッチ爪
【図１】
0005561828.tif 000002
【図２】
0005561828.tif 000003
【図３】
0005561828.tif 000004
【図４】
0005561828.tif 000005
【図５】
0005561828.tif 000006
【図６】
0005561828.tif 000007
【図７】
0005561828.tif 000008
【図８】
0005561828.tif 000009
【図９】
0005561828.tif 000010
【図１０】
0005561828.tif 000011
【図１１】
0005561828.tif 000012